(57)【要約】【課題】カバー部材にかかった力が連結部に直接伝わることがなく、連結部に変形や破損が生じることを抑制できる防塵カバー、シート搬送装置及び画像記録装置を提供する。【解決手段】第１カバー６０と第２カバー６５との連結部７においては、第１カバー６０の第１連結片６４と第２カバー６５の第２連結片６９とが、第２回動軸線６６方向において第１間隔Ｄ１を隔てて、第２回動軸線６６方向へ相対的に移動可能に配置され、第１カバー６０と第２カバー６５とが第２回動軸線６６方向において係合する係合部８においては、第１カバー６０の第１係合面８１ａと第２カバー６５の第２係合面８２ａとが、第２回動軸線６６方向において第１間隔Ｄ１よりも小さい第２間隔Ｄ２を隔てて、第２回動軸線６６方向へ相対的に移動可能に配置されている。【選択図】図１０
2018193181.tif 000002
【特許請求の範囲】
【請求項１】
搬送されるシートを支持するシート支持面を有する給送トレイの前記シート支持面を覆う防塵カバーであって、
第１回動軸線を中心として回動可能な第１カバーと、前記第１カバーに前記第１回動軸線と平行な第２回動軸線を中心として回動可能に連結される第２カバーと、前記第１カバーと前記第２カバーとが前記第２回動軸線方向において係合する係合部とを備え、
前記第１カバーと前記第２カバーとの連結部においては、
前記第１カバーと前記第２カバーとが、前記第２回動軸線方向において第１間隔を隔てて、前記第２回動軸線方向へ相対的に移動可能に配置され、
前記係合部においては、
前記第１カバーと前記第２カバーとが、前記第２回動軸線方向において前記第１間隔よりも小さい第２間隔を隔てて、前記第２回動軸線方向へ相対的に移動可能に配置される、
ことを特徴とする防塵カバー。
【請求項２】
前記連結部は、前記第２回動軸線方向の一側に配置される第１連結部と、前記第２回動軸線方向の他側に配置される第２連結部とを有し、
前記係合部は、前記第２回動軸線方向において前記第１連結部と前記第２連結部との間に配置される、
ことを特徴とする請求項１に記載の防塵カバー。
【請求項３】
前記係合部は、前記第２回動軸線方向において、前記第１連結部からの距離と、前記第２連結部からの距離とが等しくなる位置に配置される、
ことを特徴とする請求項２に記載の防塵カバー。
【請求項４】
前記係合部は、前記第２回動軸線上に配置される、
ことを特徴とする請求項３に記載の防塵カバー。
【請求項５】
前記係合部は、
前記第１カバー及び前記第２カバーの一方に形成される凸部と、
前記前記第１カバー及び前記第２カバーの他方に形成され、前記凸部と係合する凹部とを有する、
ことを特徴とする請求項１〜請求項４の何れか一項に記載の防塵カバー。
【請求項６】
前記凸部は、
前記第２回動軸線方向に面し、前記凹部と係合する係合面と、
前記係合面における前記凸部の突出端側に形成される面取り部とを有する、
ことを特徴とする請求項５に記載の防塵カバー。
【請求項７】
請求項１〜請求項６の何れか一項に記載の防塵カバーと、
装置本体と、
前記装置本体に前記第１回動軸線と平行なトレイ回動軸線を中心として回動可能に支持され、前記装置本体に近接する閉位置と前記装置本体から離間する開位置との間で変位可能な前記給送トレイと、
を備え、
前記第１カバーは、前記装置本体に前記第１回動軸線を中心として回動可能に支持され、
前記第２カバーは、前記給送トレイに近接する第３位置と前記給送トレイから離間する第４位置との間で変位可能であり、
前記係合部においては、
少なくとも前記第２カバーが前記第３位置及び前記第４位置の何れか一方の位置にあるときに、前記第１カバーと前記第２カバーとが、前記第２回動軸線方向において前記第１間隔よりも小さい第２間隔を隔てて、前記第２回動軸線方向へ相対的に移動可能に配置される、
ことを特徴とするシート搬送装置。
【請求項８】
請求項７に記載のシート搬送装置と、前記シート搬送装置により搬送される前記シートに画像を記録する画像記録部とを備える、
ことを特徴とする画像記録装置。
【発明の詳細な説明】
【技術分野】
【０００１】
本発明は、搬送されるシートを支持する給送トレイのシート支持面を覆う防塵カバー、その防塵カバーを備えたシート搬送装置及び画像記録装置に関する。
【背景技術】
【０００２】
従来、搬送されるシートを支持する給送トレイが装置本体の背面に設けられ、前記給送トレイが支持するシートを装置本体内の画像記録部に搬送し、画像記録部に搬送されたシートに画像を記録する画像記録装置が知られている。
このような画像記録装置においては、装置本体における給送トレイが設けられた部分の開口部から、前記給送トレイに支持されるシートとともに砂塵等の異物が侵入することを防ぐために、給送トレイのシート支持面を覆うカバー部材が設けられているものがある（特許文献１参照）。
【０００３】
特許文献１に記載される画像記録装置のカバー部材は、装置本体に回動軸線を中心として回動可能に支持され、前記給送トレイに近接する第１位置と前記給送トレイから離間する第２位置との間で変位可能に構成されている。
また、カバー部材における前記回動軸線方向の両側には枢軸を備えたフランジ部が設けられ、装置本体には両側の前記枢軸をそれぞれ回転可能に支持する軸孔付きのブラケット部が設けられている。そして、フランジ部の枢軸がブラケット部における軸孔に支持されることにより、カバー部材と装置本体とが連結されている。カバー部材と装置本体との連結部においては、フランジ部の枢軸はブラケット部の軸孔に前記回動軸線方向へ摺動可能に支持されている。
【０００４】
このように、カバー部材における前記回動軸線方向の両側に装置本体との連結部を備えた構成においては、例えばカバー部材に前記回動軸線方向の力がかかって、カバー部材の装置本体に対する前記回動軸線方向の位置がずれた場合、カバー部材にかかった力が前記連結部におけるフランジ部及びブラケット部に直接伝わり、フランジ部及びブラケット部が変形したり、破損したりするおそれがある。
【０００５】
フランジ部及びブラケット部といったカバー部材と装置本体との連結部を構成する部材に変形や破損が生じると、カバー部材の機能が損なわれることがあるため、カバー部材に前記回動軸線方向の力がかかった場合でも前記連結部に変形や破損が生じないことが好ましい。
従って、カバー部材に前記回動軸線方向の力がかかった場合に、前記連結部に変形や破損が生じないようにするために、前記連結部におけるフランジ部及びブラケット部の厚みを増大させる等して、前記連結部の強度を向上することが考えられる。
【先行技術文献】
【特許文献】
【０００６】
【特許文献１】特開２００５−１８７１６６号公報
【発明の概要】
【発明が解決しようとする課題】
【０００７】
しかし、フランジ部及びブラケット部の強度を向上させた場合であっても、カバー部材にかかった前記回動軸線方向の力が前記連結部に直接伝わることには変わりがなく、カバー部材にかかる力の大きさによっては、依然として前記連結部に変形や破損が生じるおそれがある。
【０００８】
そこで、本発明においては、カバー部材に前記回動軸線方向の力がかかった場合に、カバー部材にかかった力が前記連結部に直接伝わることがなく、前記連結部に変形や破損が生じることを抑制することができる防塵カバー、シート搬送装置及び画像記録装置を提供するものである。
【課題を解決するための手段】
【０００９】
上記課題を解決する防塵カバー、シート搬送装置及び画像記録装置は、以下の特徴を有する。
即ち、防塵カバーは、搬送されるシートを支持するシート支持面を有する給送トレイの前記シート支持面を覆う防塵カバーであって、第１回動軸線を中心として回動可能な第１カバーと、前記第１カバーに前記第１回動軸線と平行な第２回動軸線を中心として回動可能に連結される第２カバーと、前記第１カバーと前記第２カバーとが前記第２回動軸線方向において係合する係合部とを備え、前記第１カバーと前記第２カバーとの連結部においては、前記第１カバーと前記第２カバーとが、前記第２回動軸線方向において第１間隔を隔てて、前記第２回動軸線方向へ相対的に移動可能に配置され、前記係合部においては、前記第１カバーと前記第２カバーとが、前記第２回動軸線方向において前記第１間隔よりも小さい第２間隔を隔てて、前記第２回動軸線方向へ相対的に移動可能に配置される。
【発明の効果】
【００１０】
本発明によれば、第１カバー又は第２カバーにかかった力が第１カバーと第２カバーとの連結部に直接伝わることがなく、前記連結部に変形や破損が生じることを抑制することが可能となる。
【図面の簡単な説明】
【００１１】
【図１】複合機を示す斜視図である。
【図２】背面給送トレイが閉位置にある状態のシート搬送装置を示す側面断面図である。
【図３】背面給送トレイが開位置にあり、第１カバーが第１位置にあり、第２カバーが第３位置にある状態のシート搬送装置を示す側面断面図である。
【図４】背面給送トレイが開位置にあり、第１カバーが第１位置にあり、第２カバーが第４位置にある状態のシート搬送装置を示す側面断面図である。
【図５】防塵カバーを示す正面図である。
【図６】防塵カバーを示す斜視図である。
【図７】防塵カバーを示す分解斜視図である。
【図８】（ａ）は防塵カバーの第２カバーを示す側面図であり、（ｂ）は防塵カバーの第１カバーを示す側面図である。
【図９】（ａ）は防塵カバーの連結部を示す正面図であり、（ｂ）は防塵カバーの係合部を示す正面図である。
【図１０】第１カバーの第１連結片と、第２カバーの第２連結片とが第１間隔Ｄ１を隔てて配置されるとともに、第１カバーにおける凸部の第１係合面と第２カバーにおける凹部の第２係合面とが第２間隔Ｄ２を隔てて配置されている状態の防塵カバーを示す正面図である。
【図１１】（ａ）は第２カバーが第１カバーに対して左方向へ移動して、係合部における第１係合面と第２係合面とが接触した状態の防塵カバーを示す正面図であり、（ｂ）は第２カバーが第１カバーに対して右方向へ移動して、係合部における第１係合面と第２係合面とが接触した状態の防塵カバーを示す正面図である。
【発明を実施するための形態】
【００１２】
次に、本発明を実施するための形態を、添付の図面を用いて説明する。
【００１３】
[複合機の概略構成]
図１に示す複合機１は、本発明に係る画像記録装置を備えた複合機の一実施形態であり、下部に備えられた前記画像記録装置の一例としてのプリンタ部Ｐと、プリンタ部Ｐの上方に配置されたスキャナ部Ｓとを一体的に備えている。複合機１は、プリンタ機能、スキャナ機能、コピー機能、及びファクシミリ機能等を有しており、プリンタ機能を有するプリンタ部Ｐは、シリアル型のインクジェット記録方式を採用している。しかしながら、プリンタ部Ｐとして、シリアル型のインクジェット記録方式のみならず、シリアル型やライン型のサーマル記録方式、ライン型のインクジェット記録方式、レーザ記録方式、更にはドットインパクト記録方式等を採用可能であることは言うまでも無い。
以下の説明では、図１に示すように、複合機１が使用可能に設置された状態を基準として、前後方向、左右方向、上下方向の各方向を規定する。
【００１４】
プリンタ部Ｐにおいては、複合機１に接続されたコンピュータ、デジタルカメラ及びＵＳＢメモリ等の外部機器、並びに複合機１に装着されたメモリーカード等の各種記憶媒体から入力される画像データ等に基づいて、記録用紙等のシート１８（図３、図４参照）に画像等を記録する。
【００１５】
プリンタ部Ｐは略直方体状に形成される装置本体２を有しており、装置本体２の前面における左右中央部には開口部４が形成されている。開口部４内には、シート１８を略水平な姿勢で支持する前面給送トレイ２０及び前面給送トレイ２０の上面に形成される排出トレイ２１が設けられている。また、装置本体２の前面には、複合機１の状態や機能等を表示する表示部及び複合機１に対する入力操作を行う操作部を有した操作パネル２２が設けられている。
【００１６】
装置本体２の後面には、シート１８を支持する背面給送トレイ５が設けられている。装置本体２は、前面給送トレイ２０及び背面給送トレイ５に支持されているシート１８に画像等を記録する記録部２４を収容している。記録部２４は、シートに画像を記録する画像記録部の一例である。
プリンタ部Ｐは、背面給送トレイ５に支持されるシート１８を記録部２４へ搬送するためのシート搬送装置３を備えている。
【００１７】
[シート搬送装置]
（シート搬送装置の概略構成）
図２〜図４に示すように、シート搬送装置３は、装置本体２と、背面給送トレイ５と、給送ローラ７１と、給送ローラアーム７２と、防塵カバー６と、を備えている。背面給送トレイ５は、装置本体２にトレイ回動軸線５ａを中心として回動可能に支持され、搬送されるシート１８を支持するシート支持面５１を有している。背面給送トレイ５は、装置本体２にトレイ回動軸線５ａを中心として回動可能に支持される給送トレイの一例である。トレイ回動軸線５ａは、図示しない回動軸と図示しない軸孔とから構成される回動機構の回動の中心であり、図示しない回動軸と図示しない軸孔は、背面給紙トレイ５にいずれか一方が設けられ、他方が背面給紙トレイ５を回動可能に支持する装置本体２の固定部に設けられていればよい。
【００１８】
給送ローラ７１は、背面給送トレイ５に支持されたシート１８を装置本体２内に給送するローラ部材であり、シート搬送装置３が備える駆動手段であるモータ（不図示）により駆動される。
給送ローラアーム７２は、給送ローラ７１を回転可能に支持し、装置本体２にトレイ回動軸線５ａと平行なアーム回動軸線７２ａを中心として回動可能に支持されるアーム部材である。
【００１９】
給送ローラアーム７２は、アーム回動軸線７２ａを中心として回動することにより、給送ローラ７１が背面給送トレイ５のシート支持面５１に近接する近接位置と、給送ローラ７１が背面給送トレイ５のシート支持面５１から離間する離間位置との間で変位可能に構成されている。給送ローラアーム７２が近接位置に変位することで、給送ローラ７１がシート支持面５１に支持されるシート１８に当接して、シート１８を給送する。
防塵カバー６は、背面給送トレイ５のシート支持面５１を覆うカバー部材である。
【００２０】
シート搬送装置３は、背面給送トレイ５に支持されるシート１８を給送ローラ７１により一枚ずつ装置本体２内へ向けて給送する装置である。シート１８は、給送ローラ７１により背面給送トレイ５の下端部に形成される給送口７５を通じて背面給送トレイ５から装置本体２内へ給送される。装置本体２内へ給送されたシート１８は記録部２４まで搬送されて、記録部２４により画像が記録される。
【００２１】
（背面給送トレイ）
背面給送トレイ５は、トレイ回動軸線５ａを中心として回動することにより、装置本体２に近接する閉位置（図２に示す位置）と、装置本体２から離間する開位置（図３に示す位置）との間で変位可能に構成されている。背面給送トレイ５が開位置にあるときに上側に位置する面がシート１８を支持するシート支持面５１に構成されている。
【００２２】
シート支持面５１には、左右方向に移動可能であり、シート１８の幅方向の位置を規制する一対のサイドガイド５２が設けられている。シート搬送装置３においては、シート支持面５１に支持されるシート１８の幅方向のサイズに応じてサイドガイド５２を左右方向に移動させることで、シート幅が異なる複数種類のシート１８をシート支持面５１に支持することが可能となっている。なお、シート搬送装置３においては、シート支持面５１に支持されているシート１８の面に沿う方向、且つ搬送方向と直交する方向が左右方向であり、シート１８の左右方向が幅方向である。
【００２３】
（防塵カバー）
防塵カバー６は、背面給送トレイ５のシート支持面５１を覆うことにより、背面給送トレイ５の給送口７５から装置本体２内に砂塵等の異物が侵入することを抑制するためのカバー部材である。
図２〜図８に示すように、防塵カバー６は、第１カバー６０と、第２カバー６５とを有している。
【００２４】
第１カバー６０は、装置本体２にトレイ回動軸線５ａと平行な第１回動軸線６１を中心として回動可能に支持されている。第２カバー６５は、第１カバー６０に第１回動軸線６１と平行な第２回動軸線６６を中心として回動可能に連結されている。
【００２５】
装置本体２は、背面給送トレイ５のシート支持面５１に対向して配置される防塵カバー支持部材２５（図３、図４参照）を有しており、第１カバー６０は、防塵カバー支持部材２５に第１回動軸線６１を中心として回動可能に支持されている。
【００２６】
具体的には、第１カバー６０の下端部には、第１回動軸線６１方向に延びる凸部６０ａが形成されており、第１回動軸部６０ａが防塵カバー支持部材２５の上面に形成される凹部２５ａ（図３、図４参照）に回動可能に嵌合することで、第１カバー６０が防塵カバー支持部材２５に支持されている。防塵カバー支持部材２５の凹部２５ａに嵌合された凸部６０ａの軸線が第１回動軸線６１となる。
【００２７】
第１カバー６０は、背面給送トレイ５が開位置にあるときに第１回動軸線６１を中心として回動することにより、背面給送トレイ５に近接する第１位置（図３に示す位置）と、背面給送トレイ５から離間する第２位置との間で変位可能に構成されている。背面給送トレイ５が開位置にあるときの第１カバー６０の第２位置は、図示されていない。しかし、第１カバー６０の第２位置は、背面給送トレイ５が閉位置にあるときの第１カバー６０の位置（図２に示す位置）とほぼ同じ位置である。換言すれば、第１カバー６１の第２位置は、背面給送トレイ５が開位置にあるときに装置本体２の背面に近接する位置である。
【００２８】
第２カバー６５は、背面給送トレイ５が開位置にあり、且つ第１カバー６０が第１位置にあるときに第２回動軸線６６を中心として回動することにより、背面給送トレイ５に近接する第３位置（図３に示す位置）と、背面給送トレイ５から離間する第４位置（図４に示す位置）との間で変位可能に構成されている。換言すれば、第２カバー６５の第４位置は、背面給送トレイ５が開位置にあり、且つ第１カバー６０が第１位置にあるときに装置本体２の背面に近接する位置である。
【００２９】
第２カバー６５は、背面給送トレイ５が開位置にあるときに、背面給送トレイ５のサイドガイド５２と対向する位置に配置されている。つまり、第２カバー６５は、背面給送トレイ５が開位置にあるときに、サイドガイド５２を全体的に覆う位置に配置されている。
【００３０】
第１カバー６０は、主カバー６２と、側部カバー６３とを有している。主カバー６２は、背面給送トレイ５のシート支持面５１に対向して配置されている。側部カバー６３は、主カバー６２の左右両側部から背面給送トレイ５のシート支持面５１側へ向けて延出している。
【００３１】
第２カバー６５は、主カバー６７と、側部カバー６８と、下部壁６７ａとを有している。主カバー６７は、背面給送トレイ５のシート支持面５１に対向して配置されている。側部カバー６８は、主カバー６７の左右両側部から背面給送トレイ５のシート支持面５１側へ向けて延出している。下部壁６７ａは、主カバー６７の下端部から背面給送トレイ５のシート支持面５１側へ向けて延出している。
主カバー６７は、シート支持面５１と直交する方向において、シート支持面５１から離間し、かつ背面給送トレイ５が開位置にあるときにサイドガイド５２を全体的に覆う位置に配置されている。
【００３２】
このように、第１カバー６０及び第２カバー６５が、それぞれ側部カバー６３、６８を有していることで、背面給送トレイ５の側方から装置本体２内に砂塵等の異物が侵入することを抑制することが可能となっている。
【００３３】
第１カバー６０の側部カバー６３及び第２カバー６５の側部カバー６８は、それぞれ左右方向において、互いの離間寸法が最も大きくなる位置にあるときの一対のサイドガイド５２よりも外側に配置されている。つまり、背面給送トレイ５が支持可能なシート１８のうち、幅方向のサイズが最も大きなシート１８を支持可能な状態にあるときの一対のサイドガイド５２よりも外側に配置されている。側部カバー６３及び側部カバー６８は、背面給送トレイ５が開位置にあるときに、左右方向からみてサイドガイド５２を全体的に覆う位置に配置されている。
【００３４】
従って、背面給送トレイ５が支持可能な最大の幅サイズのシート１８を支持しているときでも、防塵カバー６により背面給送トレイ５を覆うことが可能となっている。これにより、背面給送トレイ５が何れの幅サイズのシート１８を支持しているときでも、装置本体２内に砂塵等の異物が侵入することを抑制可能である。
【００３５】
また、第１カバー６０の側部カバー６３及び第２カバー６５の側部カバー６８は、それぞれ左右方向において、背面給送トレイ５におけるシート支持面５１の左右端部よりも内側に配置されている。
これにより、左右方向において、背面給送トレイ５の幅方向端部と側部カバー６３、６８との間に隙間が生じることがなく、装置本体２内への砂塵等の異物の侵入を抑制する効果を高めることが可能となっている。
【００３６】
また、シート搬送装置３においては、背面給送トレイ５のシート支持面５１にシート１８をセットする際に、第２カバー６５を第４位置へ変位させて、背面給送トレイ５の上部におけるシート支持面５１と第２カバー６５との間隔を大きくすることができる。これにより、シート１８を背面給送トレイ５の上方からセットし易くすることが可能となっている。
【００３７】
（連結部）
防塵カバー６においては、第１カバー６０と第２カバー６５とは、連結部７において連結されている。連結部７は、防塵カバー６の左右両端部に設けられている。
図５〜図８、図９（ａ）に示すように、連結部７においては、第１カバー６０が有する第１連結片６４と、第２カバー６５が有する第２連結片６９とが、第２回動軸線６６方向において第１間隔Ｄ１を隔てて配置されている。第２連結片６９は、第２回動軸線６６方向において第１連結片６４よりも外側に配置されている。
【００３８】
第１連結片６４は、第１カバー６０における主カバー６２の左右端部からシート支持面５１側とは反対側へ延出する板状部材である。第１連結片６４の板面は第２回動軸線６６方向に面しており、第１連結片６４には第２回動軸線６６方向に貫通する軸孔６４ａが形成されている。
【００３９】
第２連結片６９は、第２カバー６５における側部カバー６８から第１カバー６０側へ向かって延出する板状部材である。第２連結片６９の板面は第２回動軸線６６方向に面しており、第２回動軸線６６方向において第１連結片６４と対向している。
第２連結片６９には、第２連結片６９から第２回動軸線６６方向の内側となる第１連結片６４側へ向かって突出する回動軸部６９ａが形成されている。
【００４０】
第２連結片６９の回動軸部６９ａは、第１連結片６４の軸孔６４ａに回動可能に挿入されており、回動軸部６９ａが軸孔６４ａに挿入されることで、第２カバー６５が第１カバー６０に回動可能に連結されている。
また、回動軸部６９ａは軸孔６４ａに摺動可能に挿入されている。これにより、第２カバー６５は第１カバー６０に対して第２回動軸線６６方向に相対的に移動可能となっている。第１連結片６４と第２連結片６９とは、第２回動軸線６６方向から見て重複する位置に配置されている。
【００４１】
防塵カバー６の左右両端部に設けられる連結部７のうち、第２回動軸線６６方向における左側に配置される連結部７が第１連結部７１であり、第２回動軸線６６方向における右側に配置される連結部７が第２連結部７２である。
つまり、連結部７は、第２回動軸線６６方向における左側に配置される第１連結部７１と、第２回動軸線６６方向における右側に配置される第２連結部７２とを有している。
【００４２】
（係合部）
防塵カバー６は、第２回動軸線６６方向における中央部に、第１カバー６０と第２カバー６５とが第２回動軸線６６方向において係合する係合部８を有している。
図５〜図７、図９（ｂ）に示すように、係合部８は、第１カバー６０に形成される凸部８１と、第２カバー６５に形成され、凸部８１と係合する凹部８２とを有している。
【００４３】
凸部８１は、第１カバー６０における主カバー６２の前面６２ａから前方へ向けて突出しており、凸部８１における前側の端面である突出端面８１ｂと、突出端面８１ｂにおける第２回動軸線６６方向の両端部と前面６２ａとの間に形成される第１係合面８１ａとを有している。第１係合面８１ａは、第２回動軸線６６方向に面している。
突出端面８１ｂと第１係合面８１ａとの境界部は面取りされて、面取り部８１ｃとして構成されている。つまり、凸部８１は、第１係合面８１ａにおける凸部８１の突出端側に形成される面取り部８１ｃを有している。
【００４４】
凹部８２は、第２カバー６５の下部壁６７ａにおける第２回動軸線６６方向の中央部に形成されている。凹部８２は、下部壁６７ａから上側へ向けて延出する第２係合面８２ａを有している。第２係合面８２ａは、第２回動軸線６６方向に離間して一対設けられている。第２係合面８２ａは、第２回動軸線６６方向に面しており、第２回動軸線６６方向において第１係合面８１ａと対向している。
【００４５】
係合部８においては、凹部８２における左右の第２係合面８２ａと主カバー６７とで囲まれる空間に凸部８１が嵌合している。凹部８２の第２係合面８２ａと凸部８１の第１係合面８１ａとは、第１間隔Ｄ１よりも小さな第２間隔Ｄ２を隔てて配置されている。
【００４６】
具体的には、凹部８２における第２回動軸線６６方向の一側に配置される第２係合面８２ａと、凸部８１における第２回動軸線６６方向の一側に配置される第１係合面８１ａとが第２間隔Ｄ２を隔てて対向して配置されており、凹部８２における第２回動軸線６６方向の他側に配置される第２係合面８２ａと、凸部８１における第２回動軸線６６方向の他側に配置される第１係合面８１ａとが第２間隔Ｄ２を隔てて対向して配置されている。
【００４７】
防塵カバー６においては、第１カバー６０と第２カバー６５とは、第２回動軸線６６方向において相対的に移動可能に配置されているため、第１カバー６０の第１係合面８１ａと第２カバー６５の第２係合面８２ａとも、第２回動軸線６６方向において相対的に移動可能に配置されている。
【００４８】
第１カバー６０の第１係合面８１ａと第２カバー６５の第２係合面８２ａとは、第２回動軸線６６方向から見て重複する位置に配置されており、第１カバー６０と第２カバー６５とが第２回動軸線６６方向において相対的に移動することにより、第１係合面８１ａと第２係合面８２ａとが係合するように構成されている。
図３、図４に示すように、第２回動軸線６６方向から見て第１係合面８１ａと第２係合面８２ａとが重複する箇所は、第２回動軸線６６上に配置されている。つまり、係合部８は、第２回動軸線６６上に配置されている。
【００４９】
本実施形態においては、第２カバー６５が第３位置にあるとき、第４位置にあるとき、及び第３位置から第４位置へ至るまでの範囲にあるときの全てにおいて、第２係合面８２ａと第１係合面８１ａとは第２間隔Ｄ２を隔てて、互いに係合可能に配置されている。
但し、これに限るものではなく、第２係合面８２ａと第１係合面８１ａとは、少なくとも第２カバー６５が第３位置及び第４位置の何れか一方の位置にあるときに第２間隔Ｄ２を隔てて、互いに係合可能に配置されていればよい。
【００５０】
このように構成される防塵カバー６においては、図１０に示すように、連結部７の第１連結片６４と第２連結片６９とは第１間隔Ｄ１を隔てて配置されており、係合部８の第１係合面８１ａと第２係合面８２ａとは第１間隔Ｄ１よりも小さな第２間隔Ｄ２を隔てて配置されている。
【００５１】
この状態から、第２カバー６５に第２回動軸線６６方向の力がかかって、第２カバー６５が第１カバー６０に対して第２回動軸線６６方向へ相対的に移動、例えば図１１（ａ）に示すように第２カバー６５が第１カバー６０に対して左方向へ移動すると、第２カバー６５が第２間隔Ｄ２と同じ距離だけ移動した時点で、係合部８における右側の第１係合面８１ａと第２係合面８２ａとが接触して係合し、第２カバー６５のそれ以上の移動が規制される。
【００５２】
第１間隔Ｄ１は第２間隔Ｄ２よりも大きいため、係合部８の第１係合面８１ａと第２係合面８２ａとが接触した時点では、右側に配置される第２連結部７２の第１連結片６４と第２連結片６９との間には未だ隙間が存在しており、第１連結片６４と第２連結片６９とは接触しない。この場合、左側に配置される第１連結部７１の第１連結片６４と第２連結片６９とは、第１間隔Ｄ１よりも大きな間隔を隔てて配置されている。
【００５３】
逆に、図１０に示す状態から、第２カバー６５が第１カバー６０に対して右方向へ移動すると、図１１（ｂ）に示すように第２カバー６５が第２間隔Ｄ２と同じ距離だけ移動した時点で、係合部８における左側の第１係合面８１ａと第２係合面８２ａとが接触して係合し、第２カバー６５のそれ以上の移動が規制される。
【００５４】
第１間隔Ｄ１は第２間隔Ｄ２よりも大きいため、係合部８の第１係合面８１ａと第２係合面８２ａとが接触した時点では、左側に配置される第１連結部７１の第１連結片６４と第２連結片６９との間には未だ隙間が存在しており、第１連結片６４と第２連結片６９とは接触しない。この場合、右側に配置される第２連結部７２の第１連結片６４と第２連結片６９とは、第１間隔Ｄ１よりも大きな間隔を隔てて配置されている。
【００５５】
このように、防塵カバー６においては、第２カバー６５に第２回動軸線６６方向の力がかかって、第２カバー６５が第１カバー６０に対して第２回動軸線６６方向へ相対的に移動した場合、連結部７の第１連結片６４と第２連結片６９とが接触するよりも先に、係合部８の第１係合面８１ａと第２係合面８２ａとが接触するように構成されている。
【００５６】
また、防塵カバー６においては、第１カバー６０に第２回動軸線６６方向の力がかかって、第１カバー６０が第２カバー６５に対して第２回動軸線６６方向へ相対的に移動した場合も同様に、連結部７の第１連結片６４と第２連結片６９とが接触するよりも先に、係合部８の第１係合面８１ａと第２係合面８２ａとが接触するように構成されている。
【００５７】
従って、第１カバー６０又は第２カバー６５にかかった第２回動軸線６６方向の力は係合部８に伝わって、係合部８により受け止められることとなり、第１カバー６０又は第２カバー６５にかかった力が連結部７に直接伝わることがない。これにより、連結部７における第１連結片６４及び第２連結片６９に変形や破損が生じることを抑制することが可能となっている。
【００５８】
特に、係合部８は、第２回動軸線６６方向において第１連結部７１と第２連結部７２との間に配置されているため、第１連結部７１と第２連結部７２との間隔を大きくして、第２カバー６５を安定して第１カバー６０に支持させることができ、第１カバー６０又は第２カバー６５に第２回動軸線６６方向の力がかかった場合に、第１カバー６０又は第２カバー６５にかかった力を係合部８によって確実に受け止めることが可能となっている。
【００５９】
また、係合部８は、防塵カバー６の第２回動軸線６６方向における中央部に配置され、第１連結部７１及び第２連結部７２は、それぞれ防塵カバー６の左右端部に配置されており、係合部８は、第２回動軸線６６方向において、第１連結部７１から係合部８までの距離Ｌ１と、第２連結部７２から係合部８までの距離Ｌ２とが等しくなる位置に位置している(図１０参照)。
【００６０】
これにより、係合部８における第２間隔Ｄ２、並びに第１連結部７１及び第２連結部７２における第１間隔Ｄ１を高精度に設定することができ、第１カバー６０又は第２カバー６５に第２回動軸線６６方向の力がかかった場合に、第１カバー６０又は第２カバー６５にかかった力を係合部８によって確実に受け止めることが可能となっている。
【００６１】
さらに、係合部８は第２回動軸線６６上に配置されているため、第１カバー６０又は第２カバー６５に第２回動軸線６６方向の力がかかった場合に、第１カバー６０又は第２カバー６５にかかった力が係合部８に伝わり易くなり、第１カバー６０又は第２カバー６５にかかった力を係合部８によって、より確実に受け止めることが可能となっている。
【００６２】
なお、本実施形態における係合部８は、第１カバー６０に形成される凸部８１と、第２カバー６５に形成され、凸部８１と係合する凹部８２とを有しているが、第２カバー６５に凸部８１を形成し、第１カバー６０に凹部８２を形成することにより係合部８を構成することも可能である。
【００６３】
この場合においても、第１カバー６０又は第２カバー６５に第２回動軸線６６方向の力がかかって、第２カバー６５が第１カバー６０に対して第２回動軸線６６方向へ相対的に移動したときに、連結部７の第１連結片６４と第２連結片６９とが接触するよりも先に、係合部８の第１係合面８１ａと第２係合面８２ａとを接触させることが可能である。
【００６４】
（第２カバーの第１カバーへの取り付け方法）
また、図７に示すように、防塵カバー６においては、第２カバー６５を第１カバー６０に取り付ける場合、左右一方の連結部７において第１カバー６０と第２カバー６５とを連結した後、左右他方の連結部７において第１カバー６０と第２カバー６５とを連結することにより、第２カバー６５が第１カバー６０に取り付けられる。
【００６５】
具体的には、例えば、まず第１連結部７１において、第２カバー６５の回動軸部６９ａを第１カバー６０の軸孔６４ａに挿入することにより、第１連結部７１における第１カバー６０と第２カバー６５との連結を行う。この場合、第２カバー６５は第１カバー６０に対して、第２連結部７２側が第１カバー６０における主カバー６２の前面６２ａから離間する方向へ傾斜した姿勢となっている。
【００６６】
次に、第２カバー６５の第２連結部７２側を第１カバー６０に近接させて、第２連結部７２において第１カバー６０と第２カバー６５とを連結するが、この過程において、係合部８の凸部８１が凹部８２に嵌合する。
【００６７】
凸部８１が凹部８２に嵌合する際、第１カバー６０と第２カバー６５との第２回動軸線６６方向の位置がずれていると、凹部８２における第２係合面８２ａの端部が凸部８１の突出端面８１ｂにおける第２回動軸線６６方向の端部に当接する。しかし、突出端面８１ｂにおける第２回動軸線６６方向の端部には面取り部８１ｃが形成されているため、凸部８１を凹部８２に誘い込み易くなっており、凸部８１を凹部８２に円滑に嵌合することが可能である。
【００６８】
そして、凸部８１が凹部８２に嵌合された後に、第２連結部７２において、第２カバー６５の回動軸部６９ａを第１カバー６０の軸孔６４ａに挿入することにより、第２連結部７２における第１カバー６０と第２カバー６５との連結を行う。
【００６９】
なお、回動軸部６９ａが形成される第２カバー６５の第２連結片６９は可撓性を有しており、第２連結部７２において回動軸部６９ａを軸孔６４ａに挿入する際には、第２連結片６９を第２回動軸線６６方向の外側に開いた状態で回動軸部６９ａと軸孔６４ａとの位置を合せることにより、第２連結片６９が元の姿勢に復元して回動軸部６９ａが軸孔６４ａに挿入されることとなる。
【００７０】
また、第２カバー６５を第１カバー６０に取り付ける場合、第２連結部７２において第１カバー６０と第２カバー６５とを連結した後に、第１連結部７１において第１カバー６０と第２カバー６５とを連結することも可能である。
【００７１】
[本実施形態における効果]
本実施形態においては、シート搬送装置３及び画像記録装置１は以下のような防塵カバー６を備えている。
つまり、防塵カバー６は、搬送されるシート１８を支持するシート支持面５１を有する給送トレイ５のシート支持面５１を覆う防塵カバー６であって、第１カバー６０と第２カバー６５とを備えている。
【００７２】
第１カバー６０は、第１回動軸線６１を中心として回動可能である。第２カバー６５は、第１カバー６０に第１回動軸線６１と平行な第２回動軸線６６を中心として回動可能に連結される。防塵カバー６は、第１カバー６０と第２カバー６５とが第２回動軸線６６方向において係合する係合部８を有している
【００７３】
そして、第１カバー６０と第２カバー６５との連結部７においては、第１カバー６０の第１連結片６４と第２カバー６５の第２連結片６９とが、第２回動軸線６６方向において第１間隔Ｄ１を隔てて、第２回動軸線６６方向へ相対的に移動可能に配置されている。
また、係合部８においては、第１カバー６０の第１係合面８１ａと第２カバー６５の第２係合面８２ａとが、第２回動軸線６６方向において第１間隔Ｄ１よりも小さい第２間隔Ｄ２を隔てて、第２回動軸線６６方向へ相対的に移動可能に配置されている。
【００７４】
また、シート搬送装置３は、防塵カバー３と、装置本体２と、装置本体２に第１回動軸線６１と平行なトレイ回動軸線５ａを中心として回動可能に支持され、装置本体２に近接する閉位置と装置本体２から離間する開位置との間で変位可能な給送トレイ５と、を備えている。第１カバー６０は、装置本体２に第１回動軸線６１を中心として回動可能に支持され、第２カバー６５は、給送トレイ５に近接する第３位置と給送トレイ５から離間する第４位置との間で変位可能である。係合部８においては、少なくとも第２カバー６５が前記第３位置及び前記第４位置の何れか一方の位置にあるときに、第１カバー６０と第２カバー６５とが、第２回動軸線６６方向において第１間隔Ｄ１よりも小さい第２間隔Ｄ２を隔てて、第２回動軸線６６方向へ相対的に移動可能に配置されている。
【００７５】
このような構成により、第１カバー６０又は第２カバー６５にかかった第２回動軸線６６方向の力は係合部８に伝わって、係合部８により受け止められることとなり、第１カバー６０又は第２カバー６５にかかった力が連結部７に直接伝わることがない。
これにより、連結部７における第１連結片６４及び第２連結片６９に変形や破損が生じることを抑制することが可能となる。
【００７６】
また、連結部７は、第２回動軸線６６方向の一側に配置される第１連結部７１と、第２回動軸線６６方向の他側に配置される第２連結部７２とを有し、係合部８は、第２回動軸線６６方向において第１連結部７１と第２連結部７２との間に配置される。
これにより、第１連結部７１と第２連結部７２との間隔を大きくして、第２カバー６５を安定して第１カバー６０に支持させることができ、第１カバー６０又は第２カバー６５に第２回動軸線６６方向の力がかかった場合に、第１カバー６０又は第２カバー６５にかかった力を係合部８によって確実に受け止めることが可能となる。
【００７７】
また、係合部８は、第２回動軸線６６方向において、第１連結部７１からの距離と、第２連結部７２からの距離とが等しくなる位置に配置される。
これにより、係合部８における第２間隔Ｄ２、並びに第１連結部７１及び第２連結部７２における第１間隔Ｄ１を高精度に設定することができ、第１カバー６０又は第２カバー６５に第２回動軸線６６方向の力がかかった場合に、第１カバー６０又は第２カバー６５にかかった力を係合部８によって確実に受け止めることが可能となる。
【００７８】
また、係合部８は、第２回動軸線６６上に配置される。
これにより、第１カバー６０又は第２カバー６５に第２回動軸線６６方向の力がかかった場合に、第１カバー６０又は第２カバー６５にかかった力が係合部８に伝わり易くなり、第１カバー６０又は第２カバー６５にかかった力を係合部８によって、より確実に受け止めることが可能となる。
【００７９】
また、係合部８は、第１カバー６０及び第２カバー６５の一方に形成される凸部８１と、第１カバー６０及び第２カバー６５の他方に形成され、凸部８１と係合する凹部８２とを有する。
これにより、第１カバー６０と第２カバー６５とを確実に係合させることができる係合部８を、容易に構成することができる。
【００８０】
また、凸部８１は、第２回動軸線６６方向に面し、凹部８２の第２係合面８２ａと係合する第１係合面８１ａと、第１係合面８１ａにおける凸部８１の突出端側に形成される面取り部８１ｃとを有する。
このように、凸部８１の突端側部分に面取部８１ｃが形成されていることで、第２カバー６５を第１カバー６０に取り付けるため、連結部７において第１カバー６０と第２カバー６５とを連結した後に、係合部８の凹部８２と凸部８１とを係合させるときに、凹部８２と凸部８１とを容易に係合させることが可能となる。
【符号の説明】
【００８１】
１    画像記録装置
２    装置本体
３    シート搬送装置
５    背面給送トレイ
５ａ  トレイ回動軸線
６    防塵カバー
７    連結部
８    係合部
１８    シート
２４    記録部
５１    シート支持面
６０    第１カバー
６１    第１回動軸線
６２    主カバー
６３    側部カバー
６４    第１連結片
６４ａ  軸孔
６５    第２カバー
６６    第２回動軸線
６７    主カバー
６７ａ  下部壁
６８    側部カバー
６９    第２連結片
６９ａ  回動軸部
７１    第１連結部
７２    第２連結部
８１    凸部
８１ａ  第１係合面
８１ｃ  面取り部
８２    凹部
８２ａ  第２係合面
Ｐ    プリンタ部
【図１】
2018193181.tif 000003
【図２】
2018193181.tif 000004
【図３】
2018193181.tif 000005
【図４】
2018193181.tif 000006
【図５】
2018193181.tif 000007
【図６】
2018193181.tif 000008
【図７】
2018193181.tif 000009
【図８】
2018193181.tif 000010
【図９】
2018193181.tif 000011
【図１０】
2018193181.tif 000012
【図１１】
2018193181.tif 000013